【手続補正書】
【提出日】平成15年12月24日(2003.12.24)
【手続補正１】
【補正対象書類名】明細書
【補正対象項目名】請求項２
【補正方法】変更
【補正の内容】
【請求項２】
図柄が当たりになることによって時限開放される特定入賞口と、時限開放された上記特定入賞口に入賞した入賞球が達し得る特定領域とを備え、上記入賞球が上記特定領域に達し得たことを少なくとも条件として遊技者が特別装置を使用して有利な遊技を行うことができる権利を発生するとともに、上記権利が発生中に重ねて上記権利を発生させてしまうと全て権利が消滅するようにされるぱちんこ遊技機において、オンのときは上記入賞球が上記特定領域に達することを阻止するがオフのときは該入賞球が上記特定領域に達することを妨げないようにするストッパー手段を備えており該ストッパー手段は、上記特定入賞口の時限開放における開放時限中、上記権利が発生状態にある間はオンとされることを特徴とするぱちんこ遊技機。
【手続補正２】
【補正対象書類名】明細書
【補正対象項目名】請求項５
【補正方法】変更
【補正の内容】
【請求項５】
図柄が当たりになることによって時限開放される特定入賞口と、時限開放された上記特定入賞口に入賞した入賞球が達し得る特定領域とを備え、上記入賞球が上記特定領域に達し得たことを少なくとも条件として遊技者が特別装置を使用して有利な遊技を行うことができる権利を発生するとともに、上記権利が発生中に重ねて上記権利を発生させてしまうと全て権利が消滅するようにされるぱちんこ遊技機において、オンのときは上記入賞球が上記特定領域に達することを阻止するがオフのときは該入賞球が上記特定領域に達することを妨げないようにするストッパー手段を備えており該ストッパー手段は、上記特定入賞口が非開放の通常の遊技状態中にもオンとされることを特徴とするぱちんこ遊技機。
【手続補正３】
【補正対象書類名】明細書
【補正対象項目名】００１４
【補正方法】変更
【補正の内容】
【００１４】
請求項２に記載の本発明のぱちんこ遊技機は、図柄が当たりになることによって時限開放される特定入賞口と、時限開放された上記特定入賞口に入賞した入賞球が達し得る特定領域とを備え、上記入賞球が上記特定領域に達し得たことを少なくとも条件として遊技者が特別装置を使用して有利な遊技を行うことができる権利を発生するとともに、上記権利が発生中に重ねて上記権利を発生させてしまうと全て権利が消滅するようにされるぱちんこ遊技機において、オンのときは上記入賞球が上記特定領域に達することを阻止するがオフのときは該入賞球が上記特定領域に達することを妨げないようにするストッパー手段を備えており該ストッパー手段は、上記特定入賞口の時限開放における開放時限中、上記権利が発生状態にある間はオンとされることを特徴とする。


【手続補正４】
【補正対象書類名】明細書
【補正対象項目名】００１５
【補正方法】変更
【補正の内容】
【００１５】
この請求項２に記載の発明のぱちんこ遊技機は、特定入賞口として例えば電動式の可変開口部材を備えるもの、即ち通常普通電動役物と称されるもの（例えば電動チューリップ）を備え、又遊技球が始動ゲートを通過するか又は始動入賞口に入賞したときに作動（変動）が開始される変動図柄（図柄）を備え、上記特定入賞口の可変開口部材は上記変動図柄の作動（変動）結果が当たりになったときに時限開放され、遊技球は少なくとも上記特定入賞口の時限開放を条件として該特定入賞口に入賞し得るようにされる場合である。一般に広く用いられている種類の第３種ぱちんこ遊技機の特定入賞口はこのようにされていて、遊技性が高められる。そして又特定入賞口に入賞し得た入賞球が達し得る特定領域を備え、上記入賞球が上記特定領域に達し得たことを少なくとも条件として遊技者が特別装置を使用して有利な遊技を行うことができる権利が発生される。しかしてストッパー手段は、上記特定入賞口の時限開放における開放時限中、上記権利が発生状態にある間はオンとされる。従って特定入賞口が開放時限中に遊技者が遊技球をたまたま入賞させてしまっても、或は意図的に幾ら入賞させても、上記ストッパー手段はオン作動していて該入賞球が上記特定領域に到達することを阻止し、従って少なくとも権利発生中にうっかり権利を重ねて発生させてしまい、そのために権利のパンクを生じさせてしまうと言うことがなくなる。従って初心者でも安心してこの種の権利もののぱちんこ遊技機による遊技を楽しむことができる。即ち、この種の第３種ぱちんこ遊技機による遊技の娯楽性が高められる。


【手続補正５】
【補正対象書類名】明細書
【補正対象項目名】００１９
【補正方法】変更
【補正の内容】
【００１９】
請求項５に記載の本発明のぱちんこ遊技機は、図柄が当たりになることによって時限開放される特定入賞口と、時限開放された上記特定入賞口に入賞した入賞球が達し得る特定領域とを備え、上記入賞球が上記特定領域に達し得たことを少なくとも条件として遊技者が特別装置を使用して有利な遊技を行うことができる権利を発生するとともに、上記権利が発生中に重ねて上記権利を発生させてしまうと全て権利が消滅するようにされるぱちんこ遊技機において、オンのときは上記入賞球が上記特定領域に達することを阻止するがオフのときは該入賞球が上記特定領域に達することを妨げないようにするストッパー手段を備えており該ストッパー手段は、上記特定入賞口が非開放の通常の遊技状態中にもオンとされることを特徴とする。


【手続補正６】
【補正対象書類名】明細書
【補正対象項目名】００２９
【補正方法】変更
【補正の内容】
【００２９】
一方開放された上記電動チューリップ７１、７１が形成する特定入賞口アッセンブリ装置７の特定入賞口７０から入った入賞遊技球が該開口の直下に位置した上記停留凹所９１内に入ったときには、上記判定図柄作動スイッチ８５から検知出力が発生され、これによって上記特別装置（ここでは上記第３種始動口１０と上記大入賞口１１とを含んで構成される装置）の作動をするかしないかの判定表示をするための判定図柄の作動がオンされ、その表示器５に図柄の変動表示が開始される。上記判定図柄の図柄の変動表示と所定確率（ここでは３分の１の確率）での当り図柄の停止表示とは、上記普通図柄の場合と同様にして行われる。そしてこの判定図柄が当りになると上記回転体８６は右回りの１回転を開始し、その間に停留凹所９１内に停留され待機していた遊技球を上記回転体側の凹所８６ａ内に取り込みそして更に上記右側の普通入賞通路９２、即ち特別装置作動領域に排出するようにする。判定図柄が外れのときは左回りの１回転を開始し、上記遊技球を左側の普通入賞通路９３側に排出する。
特別装置作動判定図柄作動停留領域としての上記停留凹所９１のすぐ上方の位置には、本発明のストッパー手段としての、ここでは突き出し型のストッパー（以下、単にストッパーと言う）９５の弁部９５ａが上記台板７２に設けた孔から後方に向けて引っ込み可能に設けられている。ここで該ストッパー９５は先側の上記弁部９５ａと中間の弁本体摺動部９５ｂと後端側の二股腕部９５ｃとからなる一体物からなっており、該弁本体摺動部９５ｂは厚板形状をなし、上記台板７２と上記球流しモーターベース８７との両方に設けられた角形状孔内に前後方向にだけ摺動自在に嵌め入れされている。かかるストッパー９５の前後方向運動の駆動は、上記ソレノイドベース（Ａ）７３ａとソレノイドベース（Ｂ）７３ｂとに取り付けられたストッパーオンオフソレノイド９６の芯棒（図示されない）の前後方向運動を、リンク機構を用いて拡大することによって行っている。そのリンク機構は、ほぼ棒形状をなしその上端寄りの位置を回転中心として、上記ソレノイドベース（Ａ）７３ａの左右の側板間に支持された軸（図示されない）に枢軸取り付けされる腕棒形リンク９７からなるリンク機構が用いられている。そして該腕棒形リンク９７の中間部には長孔が形成されていて、該長孔には上記ソレノイド９６の芯棒と一体の二股部９８の股間に支持された横方向軸を摺動・回動自在に挿通せしめている。そして該腕棒形リンク９７の下方端側の位置には該リンクと一体に左右方向張り出し軸が設けられていて、該左右方向張り出し軸は上記ストッパー９５の二股部９５ｃの各股板に形成された長孔内に摺動・回動可能に挿通されることによって、該ソレノイド９６の芯棒の前後方向の往復運動が上記ストッパー９５に拡大された前後方向往復運動として伝えられる。かくしてストッパーオンオフソレノイド９６が非通電のときには心棒はコイルバネによって前方に押し出された位置にきてストッパー９５の弁部９５ａは台板７２の表面から突き出して入賞遊技球が上記停留凹所９１に達するのを阻止するオンの状態になる。即ち、ここではストッパー９５は常時オン動作とされている。ストッパーオンオフソレノイド９６が通電のときは心棒はコイルバネに抗して後方に引き込まれた位置にきて常時ストッパー９５の弁部９５ａは上記台板７２の表面からちょうど引っ込んだ位置にきて該ストッパーはオフの状態になる。図５は上記停留凹所９１に入賞遊技球１００が停留するに至ったときに上記判定図柄作動スイッチ８５から検知出力が発生してストッパー９５がオンにされ、以後ストッパー９５がオフとされるまで入賞球が上記停留凹所９１、即ち特別装置作動判定図柄作動スイッチ８５の作動領域に到達することを拒絶する状態を示す。このストッパー９５は、遊技球が上記停留凹所９１に停留して上記特別装置作動判定図柄作動スイッチ８５が作動した後、現に継続中の電動チューリップ７１、７１の開放時限が終わるまでの間に上記判定図柄の作動が再び生じることがないよう保証することと既に停留凹所９１に停留中の遊技球上に引き続いて入賞してきた遊技球が直接衝突することによって何らかの誤動作が生じる得る可能性を除去することのために（即ち入賞遊技球の停留を保全するために）、入賞遊技球が停留凹所９１に停留後現に継続中の開放時限が終わるまでの間継続してオンとすると言う従来のぱちんこ遊技機における作動目的の外、ここでは次の作動目的のために用いられる。即ち、後述するように一連の複数の解放時限からなる時限開放について権利発生は最大１回までに限られるようにするために、判定図柄の判定結果が当たりとなるに至った該判定図柄の作動にかかわった開放時限に続いて残りの一連の開放時限があるときにそれら残りの開放時限においてはオンとすると言う作動目的と、本発明に従うところにより、特別装置が作動状態（権利発生状態）にある間は、開放中の特定入賞口に遊技球をいくら入賞させても入賞遊技球が上記特別装置作動判定図柄作動スイッチの作動領域をなす停留凹所９１に達して該判定図柄を作動させることがないように、即ち既に権利が発生状態にある時に権利を重ねて発生させる可能性を生じさせないようにするために、開放時限中権利が発生状態にあるときはオンとすると言う作動目的とのために用いられている。なおこの第１実施形態においては更に加えて上記ストッパー９５は、上記特定入賞口７０の開口部材としての電動チューリップ７１、７１が閉状態にある通常の遊技状態の間にノイズ信号発生等の何らかのはずみで誤動作して上記電動チューリップ７１、７１が開放されてしまって遊技球が入賞し権利を発生させてしまうことを防止するために、従って又、その時たまたま権利発生中であったら該権利のパンクが生じてしまうことを防止するために、上記通常の遊技状態の間でも上記電動チューリップの閉に重ねてオンとすると言う作動目的のために用いられている。